(57)【特許請求の範囲】
【請求項１】
正面板及び背面板と、左右一対の側面板と、底面板と、天面板とを含む収納箱であって、
前記正面板と前記側面板との稜線部を天面側の部分で切り離して、天面開口と連続する正面取出し開口を前記正面板に形成すると共に、前記稜線部の切り離し部分の基端部を繋いだ線を回動中心として回動することにより前記正面取出し開口を開閉する正面開閉蓋を、前記天面開口の開閉蓋である前記天面板と連続して形成し、
且つ前記側面板の天面側縁部に連接する内フラップが、前記天面側縁部の幅領域よりも正面側に突出する正面側突出部を備えており、
前記天面板に連接する差込みフラップを、前記背面板と前記内フラップとの間の隙間に差し込んで、前記天面開口及び前記正面取出し開口を前記開閉蓋及び前記正面開閉蓋によって閉塞した際に、前記正面側突出部の突出端縁が前記正面開閉蓋の先端部内側面に当接する収納箱。
【請求項２】
前記稜線部の切り離し部分の基端部を繋いだ線に沿って折り曲げ誘導線が設けられており、該折り曲げ誘導線をヒンジ部として正面開閉蓋が回動する請求項１記載の収納箱。
【請求項３】
前記側面板の前記切り離し部分の基端部よりも天面側の三角形状部分が、内側に略垂直に折り曲げられて開閉蓋載置台を形成しており、該三角形状部分の折り曲げ線が、前記稜線部の切り離し部分を構成する請求項１又は２に記載の収納箱。
【請求項４】
前記内フラップの正面側縁部が略直線状をなし、前記内フラップの背面側縁部と略平行又は先端で幅狭をなす請求項１〜３のいずれかに記載の収納箱。
【発明の詳細な説明】
【技術分野】
【０００１】
本発明は、収納箱に関し、特に、正面板及び背面板と、左右一対の側面板と、底面板と、天面板とを含む収納箱に関する。
【背景技術】
【０００２】
各種の収容物を収容する収納箱として、例えば板紙や、薄いシート状の合成樹脂板からなる六面体形状、或いは六面体形状を基本形状とする収納箱が多用されている。これらの収納箱は、所望の展開形状を備えるように裁断した板紙等に折曲げ加工や接合加工等を施すことにより、正面板及び背面板と、左右一対の側面板と、底面板と、天面板とを含む中空箱形形状に容易に組立てることができる。また六面体形状或いはこれに近似する形状を備えることにより、当該収納箱に各種の収容物を収容してなる箱入り製品を、例えばダンボール箱に詰め込んだり、積層状態に並べて多数集積し、効率の良い運搬や陳列を行うことを可能にする。
【０００３】
このような収納箱では、当該収納箱や収容物の形態等によっては、収容物の使用時に開口面から収容物を取り出したり、開口面を再び閉塞する際の取扱性に劣る場合があることこから、このような収容物の取り出しや開口面の再封止を容易にするべく、収納箱に破断線を設けたり、摘み片や摘み片係止用の切り込みを設けた収納箱が種々提案されている（例えば、特許文献１、特許文献２参照）。
【特許文献１】特開２００３−２９１９４８号公報
【特許文献２】特開平９−１９３９２６号公報
【発明の開示】
【発明が解決しようとする課題】
【０００４】
一方、例えば縦長の収納箱に、例えばこれの正面板と略同形状のシート状或いは板状の収容物を複数積層した状態で収容したり、棒状の長い収容物を集積した状態で収容する場合、一般に、収納箱の一端面に設けられた開口面を、左右一対の側面板に連接する内フラップと、正面板と連接し、差込みフラップを有する開閉蓋とによって開閉しつつ、収容物の取出しが行われることになる。また、このような縦長の収納箱から収容物を取り出す際の取扱性を向上させるべく、例えば図７に示すように、正面板５１と側面板５２との稜線部５３を天面開口５４側の部分で切り離して、天面開口５４と連続する正面取出し開口５５を正面板５１の上部に形成すると共に、天面開口５４の開閉蓋である天面板５６と連続して、正面取出し開口５５を開閉する正面開閉蓋５７を形成するようにした収納箱５０が開発されている。
【０００５】
このような収納箱５０では、例えば積層状態の収容物５８を取り出す際に、天面開口５４と正面取出し開口５５とが連続する大きな開口を介して、収容物５８を斜め方向に引き上げながらスムーズに取り出すことが可能になる一方で、例えば収容物５８が減少した後に、天面板５６及び正面開閉蓋５７によってこれらの開口を閉塞した状態で、稜線部５３が切り離された上部で正面板５１及び背面板５９の外側から挟み込むようにしながら収納箱５０を把持すると、把持時の押圧力によって、一対の側面板５２が外側に傾倒するように広がると共に、広がった側面板５２の間に正面板５１が入り込んで押し潰された状態となり、収納箱５０を把持し難くなると共に、収納箱５０の外観を損なう場合がある。
【０００６】
本発明は、正面板と側面板との稜線部が切り離された部分で正面板及び背面板の外側から押圧力が負荷された際に、一対の側面板が外側に傾倒して側面板の間に正面板が入り込んで押し潰された状態となるのを効果的に回避することのできる収納箱を提供することを目的とする。
【課題を解決するための手段】
【０００７】
本発明は、正面板及び背面板と、左右一対の側面板と、底面板と、天面板とを含む収納箱であって、前記正面板と前記側面板との稜線部を天面側の部分で切り離して、天面開口と連続する正面取出し開口を前記正面板に形成すると共に、前記稜線部の切り離し部分の基端部を繋いだ線を回動中心として回動することにより前記正面取出し開口を開閉する正面開閉蓋を、前記天面開口の開閉蓋である前記天面板と連続して形成し、且つ前記側面板の天面側縁部に連接する内フラップが、前記天面側縁部の幅領域よりも正面側に突出する正面側突出部を備えており、前記天面板に連接する差込みフラップを、前記背面板と前記内フラップとの間の隙間に差し込んで、前記天面開口及び前記正面取出し開口を前記開閉蓋及び前記正面開閉蓋によって閉塞した際に、前記正面側突出部の突出端縁が前記正面開閉蓋の先端部内側面に当接する収納箱を提供することにより、上記目的を達成したものである。
【発明の効果】
【０００８】
本発明の収納箱によれば、正面板と側面板との稜線部が切り離された部分で正面板及び背面板の外側から押圧力が負荷された際に、一対の側面板が外側に傾倒して側面板の間に正面板が入り込んで押し潰された状態となるのを効果的に回避することができる。
【発明を実施するための最良の形態】
【０００９】
本発明の好ましい一実施形態に係る収納箱１０は、図１及び図２に示すように、収容物として例えば液状物、粉粒物等を封入した板状のフィルム梱包物１１を、複数枚積層した状態で収容すると共に、収容したフィルム梱包物１１を、一枚一枚容易且つスムーズに取り出すことができるように、天面開口１２に連続する正面取出し開口１３を、正面板１４の天面側に開閉可能に形成したものである。また、本実施形態の収納箱１０は、正面板１４と側面板１６との稜線部１９を切り離して正面取出し開口１３を形成したことにより、当該切り離した稜線部１９が構造上の弱点となって、天面開口１２と正面取出し開口１３とを閉塞した状態で正面板１４及び背面板１５の外側から押圧力が負荷された際に（図５参照）、一対の側面板１６が外側に傾倒して広がるのを防止して、側面板１６の間に正面板１４が入り込んで押し潰された状態となるの効果的に回避する構造を備えるものである。
【００１０】
そして、本実施形態の収納箱１０は、正面板１４及び背面板１５と、左右一対の側面板１６と、底面板１７と、天面板１８とを含み、側面板１６は略直方体形状の正面側と天面側の概ね半分を結ぶ三角形を切り欠いた台形形状をなし、収納箱１０の立体形状は、略六面体形状における正面側の上半部分を側面形状が三角形の三角柱を切り欠いた多面体形状をなす。収納箱１０は、正面板１４と側面板１６との稜線部１９を天面側の部分で切り離して、天面開口１２と連続する正面取出し開口１３を正面板１４に形成すると共に、稜線部１９の切り離し部分１９ａの基端部１９ｂを繋いだ線を回動中心として折れ曲がるように回動することにより正面取出し開口１３を開閉する正面開閉蓋２０を、天面開口１２の開閉蓋である天面板１８と連続して形成する。さらに、収納箱１０は、側面板１６の天面側縁部１６ａに連接する内フラップ２１が、天面側縁部１６ａの幅領域Ｂ（図４（ａ），（ｂ）参照）よりも正面側に突出する正面側突出部２１ａを備えており、天面板１８に連接する差込みフラップ２２を、背面板１５と内フラップ２１との間の隙間２３に差し込んで、天面開口１２及び正面取出し開口１３を開閉蓋１８及び正面開閉蓋２０によって閉塞した際に（図５参照）、正面側突出部２１ａの突出端縁が正面開閉蓋２０の先端部内側面に当接する（図６参照）ようになっている。尚、収納箱１０は、前述の基端部１９ｂを繋いだ線より上部分を、側面板１６から切り欠く前述の三角形状とし、収納箱１０の略六面体形状から切り欠く前述の三角柱とすることが好ましい。
【００１１】
ここで、上記記載における側面板１６の天面側縁部１６ａの幅領域Ｂは、図４（ａ），（ｂ）に示すように、側面板１６の天面側縁部１６ａの両端を通り、組立時に背面板１５と平行な面となる一対の面Ｐ，Ｐによって挟まれる領域であり、内フラップ２１の正面側突出部２１ａは、この天面側縁部１６ａの幅領域Ｂから正面側にはみ出す部分であり、本実施形態では、略三角形状に突出している。
【００１２】
また、本実施形態の収納箱１０は、稜線部１９の切り離し部分１９ａの基端部１９ｂを繋いだ線に沿って折り曲げ誘導線２４が設けられており、この折り曲げ誘導線２４をヒンジ部として正面開閉蓋２０が回動するようになっている。
【００１３】
さらに、本実施形態の収納箱１０は、側面板１６の切り離し部分１９ａの基端部１９ｂよりも天面側の三角形状部分２５が、内側に略垂直に折り曲げられて開閉蓋載置台２６を形成しており、この三角形状部分２５の斜め折り曲げ線２５ａが、正面板１４と側面板１６との稜線部１９の切り離し部分１９ａを構成するようになっている。
【００１４】
本実施形態では、収納箱１０は、当該収納箱１０の展開形状となるように例えば板紙を打ち抜いて形成されたシート材料２７からなり、図３に示すように、このシート材料２７に例えば半切れ線や罫線からなる折曲げ線２８ａ，２８ｂや、全切れ線からなる切込み線３２等を適宜の位置に設けて、所望の中空立体形状に組み立てる作業を容易に行うことができるようになっている。すなわち、縦長の長方形の正面板１４の両側には、縦方向折曲げ線２８ａを介して正面板１４よりも幅の狭い縦長の長方形の側面板１６が各々連設しており、一方の側面板１６の側方には、縦方向折曲げ線２８ａを介して正面板１４と略同形状の背面板１５が連設している。また背面板１５の側方には、縦方向折曲げ線２８ａを介して縦長帯状の接合片２９が連設している。さらに、正面板１４の下方には、横方向折曲げ線２８ｂを介して第１底板片１７ａが連設していると共に、一対の側面板１６の下方には横方向折曲げ線２７ｂを介して第２底板片１７ｂが各々連設しており、背面板１５の下方には、横方向折曲げ線２７ｂを介して第３底板片１７ｃが連設している。これらの第１底板片１７ａ、第２底板片１７ｂ、及び第３底板片１７ｃは、収納箱１０の組立て時に、互いに係合しつつ重なり合った状態で底面開口を覆うことにより、閉塞面としての底面板１７を構成する。
【００１５】
また、本実施形態では、正面板１４の上方には、開閉蓋折曲げ線３０を介して天面開口１２の開閉蓋としての天面板１８が連設していると共に、さらに、差込み折曲げ線３１を介して差込みフラップ２２が連設している。正面板１４には、正面開閉蓋２０のヒンジ部となる折り曲げ誘導線２４が、略中央上部を横断して設けられていると共に、この折り曲げ誘導線２４よりも上方部分の側面板１６との縦方向折曲げ線２８ａの延長部分が、切込み線３２として切り込まれていて、収納箱１０の組立て時に、正面板１４と側面板１６との稜線部１９の切り離し部分１９ａを形成する。一対の側面板１６には、正面板１４の折り曲げ誘導線２４の各々の端部と、側面板１６の天面側縁部１６ａにおける正面板寄り中間部１６ｂとを結んで、斜め折り曲げ線２５ａが設けられており、収納箱１０の組立て時に、この斜め折り曲げ線２５ａの内側の三角形状部分２５を側面板１６に対して略垂直に折り曲げることにより、開閉蓋載置台２６を形成できるようになっている。
【００１６】
そして、本実施形態では、斜め折り曲げ線２５ａが接続する正面板寄り中間部１６ｂよりも外側部分における、一対の側面板１６の天面側縁部１６ａに、内フラップ折り曲げ線３３を介して内フラップ２１が各々連設している。これらの内フラップ２１は、図４（ａ），（ｂ）に示すように、天面側縁部１６ａの幅領域Ｂよりも正面側に突出する正面側突出部２１ａを備えている。すなわち、内フラップ２１は、正面側に傾いた、内フラップ折り曲げ線３３を底辺とする略平行四辺形状に形成されることにより、天面側縁部１６ａの幅領域Ｂよりも正面側にはみ出す略三角形状の正面側突出部２１ａを有することになる。また、内フラップ２１は、内フラップ折り曲げ線３３を底辺とする正面側縁部２１ｂと背面側縁部２１ｃの両辺が平行であることが好ましいが、正面側縁部２１ｂを概ね直線としつつ正面側縁部２１ｂと背面側縁部２１ｃの幅が、内フラップ折り曲げ線３３の長さ、又は幅領域Ｂの幅（又は側面板１６の天面側縁部１６ａ）より長くならないことが好ましい。なお、本実施形態では、天面側縁部１６ａの正面板寄り中間部１６ｂよりも正面側の内側部分は、収納箱１０の組立て時に、側面板１６から略垂直に折り曲げられて、開閉蓋載置台２６として正面開閉蓋２０と重ねて配置されることから、収納箱１０の組立て後は、正面板寄り中間部１６ｂよりも外側部分のみが側面板１６の天面側縁部１６ａを構成するので、当該正面板寄り中間部１６ｂよりも外側部分の天面側縁部１６ａのみが、幅領域Ｂを画定する天面側縁部１６ａとなる。そして、正面側突出部２１ａが幅領域Ｂから突出する角度θ（天面側縁部１６ａの正面側端部と、正面側突出部２１ａの突出先端部とを結んだ線と、面Ｐとの角度）は鋭角をなし、例えば５．０〜２０度とすることが好ましい。また、正面側突出部２１ａの天面側縁部１６ａの幅領域Ｂからの突出長さｓは、例えば２．０〜１０ｍｍとすることが好ましい。さらに、内フラップ２１の天面側縁部１６ａからの長さは、収納箱１０や収容物等の形態に応じて適宜設定することができる。
【００１７】
本実施形態の収納箱１０は、上述のような構成のシート材料２７を用いて容易に形成することができる。すなわち、例えば縦方向折曲げ線２８ａを挟んだ各両側部分を略垂直に折り曲げると共に、縦長帯状の接合片２９を他方の側面板１６の側縁部内側面に接合して、矩形断面の筒形状に組み付ける。しかる後に、横方向折曲げ線２７ｂを介して第１底板片１７ａ、第２底板片１７ｂ、及び第３底板片１７ｃを折り曲げ、互いに係合させることにより、底面開口を覆って底面板１７を形成し、図１に示すような、天面開口１２及び正面取出し開口１３が開閉可能な、フィルム梱包物１１を収容する前の状態の箱体が組み立てられる。
【００１８】
次に、図２に示すように、箱体の内部に複数のフィルム梱包物１１を積層状態で収容すると共に、斜め折り曲げ線２５ａを介して三角形状部分２５を内側に折り曲げて開閉蓋載置台２６を形成し、さらに内フラップ折り曲げ線３３を介して内フラップ２１を各々内側に折り曲げた後、折り曲げ誘導線２４をヒンジ部として、正面開閉蓋２０をこれに連設する天面板１８や差込みフラップ２２と共に回動させ、差込みフラップ２２を背面板１５と内フラップ２１との間の隙間２３に差し込むことにより、図５に示すような、内部にフィルム梱包物１１を積層状態で収容した、好ましくは正面板１４及び背面板１５の幅が５０〜１５０ｍｍ、側面板１６の幅が３０〜１００ｍｍ、高さが１００〜３００ｍｍとなった縦長形状を備える、矩形横断面形状の大きさが斜めに切り欠かれた上半部分で絞られた、本実施形態の収納箱１０が形成されることになる。
【００１９】
そして、本実施形態の収納箱１０によれば、フィルム梱包物１１を一枚一枚取り出す際には、開閉蓋１８と正面開閉蓋２０とを開放して、天面開口１２と正面取出し開口１３とが連続する大きな開口を形成することにより、このような大きな取出し用の開口から、例えばフィルム梱包物１１を斜め上方に引き上げるようにしながら容易且つスムーズに取り出して行くことが可能になる。
【００２０】
また、本実施形態の収納箱１０によれば、例えばフィルム梱包物１１が減少した後に、天面板１８及び正面開閉蓋２０によって天面開口１２及び正面取出し開口１３を閉塞した状態で、例えば正面板１４の開閉蓋２０と背面板１５を外側から挟み込むようにしながら収納箱１０を把持して、これらの外側から押圧力が負荷された場合でも（図５参照）、このような押圧力によって、一対の側面板１６が外側に傾倒して側面板１６の間に正面板１４の正面開閉蓋２０が入り込んで押し潰された状態となるのを効果的に回避することが可能になる。
【００２１】
すなわち、本実施形態によれば、側面板１６の天面側縁部１６ａに連接する内フラップ２１が、天面側縁部１６ａの幅領域Ｂよりも正面側に突出する正面側突出部２１ａを備えており、天面板１８に連接する差込みフラップ２２を、背面板１５と内フラップ２１との間の隙間２３に差し込んで、天面開口１２及び正面取出し開口１３を開閉蓋１８及び正面開閉蓋２０によって閉塞した際に、図６に示すように、正面側突出部２１ａの突出端縁が正面開閉蓋２０の先端部内側面に当接することになる。したがって、本実施形態の収納箱１０によれば、例えば背面板１５及び正面開閉蓋２０を把持してこれらの外側から押圧力が負荷された際に、正面開閉蓋２０が正面側突出部２１ａを介して内フラップ２１を内側に回動するように押し付け、これに伴って側面板１６が、特に天面開口１２と近接する部位において内側に傾倒することになるので（図６の破線参照）、一対の側面板１６が外側に傾倒するのを防止し、側面板１６の間に正面板１４の正面開閉蓋２０が入り込んで押し潰された状態となるのを効果的に回避することが可能になる。また負荷される押圧力を両側の側面板１６によって支持することも可能になり、これによって収納箱１０を把持し易くしたり、収納箱１０の外観を損わないようにすることが可能になる。
さらに、内フラップ２１の背面側縁部２１ｃが正面側縁部２１ｂと略平行、又は内フラップ２１の先端に向けてやや幅狭に形成されているので、例えば、背面板１５及び正面開閉蓋２０を把持してこれらの外側から押圧力が負荷された際に、その押圧力は、正面開閉蓋２０から正面側突出部２１ａに伝達され、正面開閉蓋２０を正面側突出部２１ａの直線状の正面側縁部２１ｂによって支持することができる。
【００２２】
さらに、本実施形態の収納箱１０によれば、側面板１６の三角形状部分２５が、内側に折り曲げられて開閉蓋載置台２６を形成するようになっており、閉塞時に正面開閉蓋２０が開閉蓋載置台２６の外側から重なるように配置されるので、開閉蓋載置台２６によっても押圧力が支持されて、収納箱１０が押し潰されるのをさらに効果的に回避することが可能になると共に、収納箱１０をさらに把持し易くし、また収納箱１０の外観を容易に保持することが可能になる。
【００２３】
なお、本発明は上記実施形態に限定されることなく種々の変更が可能である。例えば、収納箱は板紙からなるものである必要は必ずしもなく、例えば厚みが０．１〜１．０ｍｍ程度の合成樹脂からなる薄板状のシート材料や、その他の保形剛性を備えるシート材料からなるものであっても良い。また、収納箱は、縦長形状を備えるものである必要は必ずしもなく、収容される収容物は、板状又はシート状の収容物の他、棒状の長い収容物等、その他の種々の形状の収容物であっても良い。さらに、内フラップの正面側突出部は、略三角形状に突出するものである必要は必ずしもなく、単に突起状に突出するものであっても良い。さらにまた、稜線部の切り離し部分の基端部を繋いだ線に沿って折り曲げ誘導線を設ける必要は必ずしもなく、稜線部の切り離し部分が稜線全体にしめる範囲は半分以上あっても、２５％程度であっても良く、必ずしも半分である必要はない。また図７に示すような側面板に開閉蓋載置台を形成するための三角形状部分を備えていない収容箱において、側面板の天面側縁部と連設する内フラップに、天面側縁部の幅領域よりも正面側に突出する正面側突出部を設けて、本発明の収容箱とすることもできる。
【図面の簡単な説明】
【００２４】
【図１】本発明の好ましい一実施形態に係る収納箱の、収容物を収容する前の状態を示す斜視図である。
【図２】本発明の好ましい一実施形態に係る収納箱の、収容物を収容して開閉蓋及び正面開閉蓋を閉塞する前の状態を示す斜視図である。
【図３】本発明の好ましい一実施形態に係る収納箱を形成するための板紙の展開図平面図である。
【図４】（ａ）及び（ｂ）は、図３のＡ部拡大平面図である。
【図５】本発明の好ましい一実施形態に係る収納箱の、収容物を収容して開閉蓋及び正面開閉蓋を閉塞しした状態を示す斜視図である。
【図６】開閉蓋及び正面開閉蓋の閉塞時に、内フラップの正面側突出部の突出端縁が正面開閉蓋の先端部内側面に当接した状態を説明する図５のＢ−Ｂに沿った断面図である。
【図７】従来の正面取出し開口を備える収納箱を例示する斜視図である。
【符号の説明】
【００２５】
１０  収納箱
１１  フィルム梱包物（収容物）
１２  天面開口
１３  正面取出し開口
１４  正面板
１５  背面板
１６  側面板
１６ａ  側面板の天面側縁部
１７  底面板
１８  天面板（開閉蓋）
１９  稜線部
１９ａ  稜線部の切り離し部分
１９ｂ  切り離し部分の基端部
２０  正面開閉蓋
２１  内フラップ
２１ａ  内フラップの正面側突出部
２１ｂ  内フラップの正面側縁部
２１ｃ  内フラップの背面側縁部
２２  差込みフラップ
２３  背面板と内フラップとの間の隙間
２４  折り曲げ誘導線
２５  三角形状部分
２５ａ  斜め折り曲げ線
２６  開閉蓋載置台
２７  シート材料
３３  内フラップ折り曲げ線
Ｂ    天面側縁部の幅領域幅領域Ｂ
θ    内フラップの正面側突出部が幅領域から突出する角度
【図１】
0004640808.tif 000002
【図２】
0004640808.tif 000003
【図３】
0004640808.tif 000004
【図４】
0004640808.tif 000005
【図５】
0004640808.tif 000006
【図６】
0004640808.tif 000007
【図７】
0004640808.tif 000008